(57)【要約】【課題】雑海藻による昆布着生阻害で悩まされる沿岸部での昆布林の復元し高齢化している漁業関係者の労働力の軽減とコストを低く抑えた木灰セラミックスを付けた延縄式昆布礁を提供する。【解決手段】木灰セラミックス（５）を通した延縄ロープ（７）と補助ワイヤ（１１）の両端を重垂（６）に結び、重垂（６）の上部には海上から投入した位置がわかるようフロート（１）を、側面部には安定の強化を図るためのアンカー（４）をつけ海底にはわすように沈める。環境に応じて様々な形態にも対応し海中への投入やメンテナンス・収穫の際の巻き上げも船上からドラム等の機材で無理なくできる高齢者でも利用可能でしかも経済的にも大変安価な木灰セラミックスを付けた延縄式昆布礁である。【選択図】図１
2005110611.tif 000002
【特許請求の範囲】
【請求項１】
木灰と粘土と砂を混合し、概ね９００℃から１，３００℃で焼き上げ円筒状にし、上下部分は波による抵抗軽減と昆布が摩擦で切断されるのを防止するため面取りをほどこした木灰セラミックス（５）を使用することにより昆布の育成には最適とされる自然石（酸性岩）と同等な効果を期待でき、それを延縄ロープ（７）に通し海底に沈め付着した昆布種苗の成長を助長させる発明である。
【請求項２】
延縄ロープ（７）に通された数個の木灰セラミックス（５）を海底に沈め浮き上がってくるのを防止するのと波による移動を避けるため重垂（６）とアンカー（４）を取り付け海底に沈める。沈めた場所がわかるようにフロート（１）も接続する。ウニ類等の食害のない地域ではこの延縄方式を採用することにより従来ある暖簾式よりも効果が期待でき、コスト的にも安価で済み場所によって２組を結ぶなどして十文字形や沿岸に対して垂直にあるいは水平にと最良な形態を保つこともできる。さらには高齢化してきた漁業関係者でも簡単に使用できる使用者にとって優しい発明である。
【発明の詳細な説明】
【技術分野】
【０００１】
本発明は雑海藻による昆布着生阻害で悩まされる沿岸部での昆布林を復元できるような場所を提供し使用者にとって経済的で利便性をより高くすることを目的とした昆布養殖魚礁に関するものである。
【背景技術】
【０００２】
従来の磯焼現象の対策として特願２００１−１３８０３６がある。ネット状になったロープに昆布の種苗を付けそれを海底に沈め昆布の成長を計る。さらにウニやアワビの食害を防止するためブイで海中に持ち上げ下部に重りをつけ安定を保ちネズミ返しによってウニやアワビが登ってくるのを防止している構造となっている。
【特許文献１】特願２００１−１３８０３６
【発明の開示】
【発明が解決しようとする課題】
【０００３】
しかしながら従来技術によればネットの間に海藻の種苗は付いているがその成長は自然にまかせるだけの構造となっており投入する場所により海自体に栄養が足りず十分な成長が期待できない可能性がある。また海底に沈めた場合、海底にフックを設置してそれに引っかけるようになっているので収穫やメンテナンスで引き上げる際に海底まで行ってフックからはずすという高齢者や技能のない人にとっては難しい作りになっている。
【課題を解決するための手段】
【０００４】
本発明は磯焼現象をいかなる手段で解決し昆布を繁殖させるか、そしていかにコストを抑えどんな場所でも使用でき高齢者でも利用できることを目的として解決したものである。
【０００５】
磯焼している沿岸の漁場には胞子を持つ親昆布が少ないので自然の昆布が成長しやすいと言われる自然石（酸性岩）とほぼ同じ成分を持つすでに特願２００３−２７５６にて出願中の木灰セラミックス（５）を円筒状に形成したものを延縄ロープ（７）とより強度を強めるための補助ワイヤ（１１）に通し、海中に浮き上がらず海底面での安定を図るために設置した重垂（６）についている延縄ロープフック（９）に結び付ける。このとき、木灰セラミックス（５）が移動しないように上下部分に固定クリップ（１２）を巻き付ける。さらに安定を求めるために重垂（６）側面のアンカーフック（８）にアンカーロープ（３）を結んでアンカー（４）を取り付ける。このことによって波による移動を防ぐことが可能になるのである。
【０００６】
重垂（６）の上部にはフロートフック（１０）がありそこにフロートロープ（２）を結びつけその先にフロート（１）をつける。これは木灰セラミックス（５）が海底に沈んでいるため設置した場所を船上から目視できるようにしたものである。また、本発明自体は重りで沈めてあるだけなので船上からドラム等の機材を使えば海中に入ることなく回収、または設置することも可能である。
【発明の効果】
【０００７】
本発明はこれまで説明したような構成をしているので以下記載されているような効果が見られる。
磯焼現象による沿岸海中などの被害を防止するために自然石（酸性岩）とほぼ同じ成分を有する木灰セラミックス（５）を発明した。製紙会社より廃棄される木灰に土中内の粘土と砂を混合し概ね９００℃から１，３００℃で焼くことにより自然石（酸性岩）と同じ成分を持ち、さらに直接ロープに取り付けられるよう円筒状に形成し中心部にある空洞部分に延縄ロープ（７）と強度を増やすための補助ワイヤ（１１）を通す。さらに木灰セラミックス（５）が上下移動しないよう固定クリップ（１２）で固定し、海底に沈める。海中にある昆布の種苗が木灰セラミックス（５）の種苗付着穴（１３）に付着することによって木灰セラミックス（５）が有する成分を吸収し磯焼した海中に昆布の繁殖を実現させるものである。
基本的に本発明は木灰セラミックス（５）を通した延縄ロープ（７）が主体であるため本発明を組み合わせることで十文字に、沿岸に対して垂直にまたは水平にと環境に応じて使用することができ、設置や収穫、雑海藻の付着による昆布の着生が阻害されても船上からドラム等の機材で簡単に巻き上げ回収することが可能なので高齢化が進んだ漁業関係者でも扱える労働力の負担を軽減させた発明である。またコスト的にも大変経済的である。
【発明を実施するための最良の形態】
【０００８】
円筒状に形成された木灰セラミックス（５）の上下部分には摩擦により昆布が切れることを防止するために面取りを施す。
【０００９】
円筒状に形成された木灰セラミックス（５）の中心部に延縄ロープ（７）とロープが岩礁との摩擦で切れないように強度を増幅させる目的で補助ワイヤ（１１）も一緒に通す。１本の延縄ロープ（７）に数個の木灰セラミックス（５）を通すため木灰セラミックス（５）の上下部には固定するための固定クリップ（１２）を用いる。延縄ロープ（７）の両端はロープが海中に浮かず移動しないよう設置させる重垂（６）の側面にある延縄ロープフック（９）に結び付ける。さらに重垂（６）にあるアンカーフック（８）にアンカーロープ（３）を結び付けてその先に安定力を更に強化するためのアンカー（４）を付け海底に沈めるのである。
【００１０】
重垂（６）上部にはフロートフック（１０）がありそこへフロートロープ（２）を結び付けその先にフロート（１）をつける。フロート（１）を付けることにより海上から本発明を設置した場所がわかるようになるのである。
【００１１】
また、本発明は環境に応じた形態を保つことが可能で２組を用意しそれぞれの延縄ロープ（７）の中心を結び付けることによって十文字の形状にもなり中心点、端部に重垂（６）、アンカー（４）を設置することによって安定性は保持される。
【実施例１】
【００１２】
次に発明を実施例に基づき図面を参考にして説明する。図１は本発明の全体を示しており円筒状の木灰セラミックス（５）の中心部に延縄ロープ（７）とそれを強化するための補助ワイヤ（１１）を通す。木灰セラミックス（５）を数個通したのち延縄ロープ（７）の両端を重垂（６）にある延縄ロープフック（９）に結び付ける。重垂（６）に結び付けることによって海底から浮き上がることなく波力に対しても耐えうるようになるのである。さらに安定化を計るため重垂（６）のアンカーフック（８）にアンカーロープ（３）を結びその先にアンカー（４）を取り付ける。また、重垂（６）上部にあるフロートフック（１０）にフロートロープ（２）を結びその先にフロート（１）を取り付け本発明を設置した場所を船上から目視できるようになっている。
【実施例２】
【００１３】
図２は本発明の延縄ロープ（７）の中心点で結び９０度の角度で設置した図である。中心部と直角に伸びる延縄ロープ（７）の先端には重垂（６）によって結ばれているフロート（１）とアンカー（４）がありこれらがあることによって沿岸に対して垂直方向も水平方向の波の力にも移動しない安定した構造になっている。
【実施例３】
【００１４】
図３は重垂（６）上部に付いているフロートフック（１０）にフロートロープ（２）を結び付けその先にフロート（１）を付けた図である。フロート（１）は本発明の基盤が海中に沈んでいるため船上からでも目視できるような効果を持っている。
【実施例４】
【００１５】
図４は重垂（６）に結びつながっている木灰セラミックス（５）の図である。
円筒状の木灰セラミック（５）の中心部に延縄ロープ（７）と延縄ロープ（７）が着岸したときに海底との摩擦などにより切れる可能性があるためその防止とロープそのものの強化のために補助ワイヤ（１１）を通す。延縄ロープ（７）の両端を重垂（６）にある延縄ロープフック（９）に結び付け海底での安定化を計るものである。木灰セラミックス（５）には海中に浮遊する昆布の種苗が付着し成長しやすくするため数カ所に種苗付着穴（１３）を開けている。
【実施例５】
【００１６】
図５は木灰セラミックス（５）の図である。中心部に延縄ロープ（７）と補助ワイヤ（１１）が通った木灰セラミックス（５）で上下部分には移動を防止するために固定クリップ（１２）が設けられている。また種苗付着穴（１３）は海中に浮遊する昆布の種苗が付着するようになっている。
【実施例６】
【００１７】
図６は延縄ロープ（７）を海底に安定させるための重垂（６）をより強く安定させるために重垂（６）側部にあるアンカーフック（８）にアンカーロープ（３）を結び付けその先にアンカー（４）を取り付ける。重垂（６）のみで絶対の安定を実現させるにはそれなりの重さが必要になり陸上にて運搬するときには大変不便な状態になってしまうので重垂（６）とアンカー（４）の２つに分けて不便さの解消をはかった。
【実施例７】
【００１８】
図７は実際に本発明を海中に投入した当初の予想部分図である。木灰セラミックス（５）は重垂（６）により波に流されることなく海底に沈み海面からはフロート（１）が浮き出て船上から目視できるようになっている。また重垂（６）の着地場所が不安定であったり重垂（６）だけでは安定性に欠ける場合アンカー（４）があるため安定を保持できるようになっている。
【実施例８】
【００１９】
図８は実際に本発明を海中に投入し、昆布が繁茂している予想部分図である。木灰セラミックス（５）から発芽し成育した昆布は次世代につなぐため種子を放出する。その種子が再度木灰セラミックス（５）に付着すれば当初と同様な効果が期待でき海底に付着しても木灰セラミックス（５）から溶けだした成分により成長を助長させると考えている。
【産業上の利用可能性】
【００２０】
天然昆布生産地では雑海藻による昆布の着生阻害と漁業関係者の高齢化の対策として様々な対策がとられているが今のところ万全な手法が見つかっていない。
そこで本発明を利用することにより昆布林を人工的に造ることが可能でメンテナンスも船上からドラム等で巻き上げるだけの軽作業で行えるため間引きや雑海藻の除去等も容易に行うことが出来る。また同じように収穫も容易にでき高齢者でも使用することが出来る。
【図面の簡単な説明】
【００２１】
【図１】木灰セラミックス（５）に延縄ロープ（７）と補助ワイヤ（１１）を通し、両端に重垂（６）につなげさらにアンカー（４）で安定性を強化し上部にはフロート（１）をつけた本発明の全体図である。
【図２】本発明を２組使い中心部で結び十文字に形成したものを真上から見た図である。
【図３】重垂（６）上部にあるフロートフック（１０）にフロートロープ（２）を結びその先にフロート（１）をつけた部分図である。
【図４】重垂（６）の側面部にある延縄ロープフック（９）に木灰セラミックス（５）を通した延縄ロープ（７）と補助ワイヤ（１１）を結んだ部分図である。さらに木灰セラミックス（５）には移動しないよう上下部分に固定クリップ（１２）が付き昆布の種苗が付く種苗付着穴（１３）が数カ所設けられている。
【図５】木灰セラミックス（５）に中心部に延縄ロープ（７）と補助ワイヤ（１１）を通し、木灰セラミックス（５）が動かないよう固定クリップ（１２）を上下部分に取り付け、種苗付着穴（１３）がついている図である。
【図６】重垂（６）側面部にあるアンカーフック（８）にアンカーロープ（３）を結びその先にアンカー（４）を取り付けた図である。
【図７】本発明を海底に設置した当初を示す予想図である。
【図８】本発明を海底に設置し昆布が繁茂した状態を示す予想図である。
【符号の説明】
【００２２】
１  フロート
２  フロートロープ
３  アンカーロープ
４  アンカー
５  木灰セラミックス
６  重垂
７  延縄ロープ
８  アンカーフック
９  延縄ロープフック
１０フロートフック
１１補助ワイヤ
１２固定クリップ
１３種苗付着穴
【図１】
2005110611.tif 000003
【図２】
2005110611.tif 000004
【図３】
2005110611.tif 000005
【図４】
2005110611.tif 000006
【図５】
2005110611.tif 000007
【図６】
2005110611.tif 000008
【図７】
2005110611.tif 000009
【図８】
2005110611.tif 000010